(57)【要約】【課題】光硬化型の機能液を硬化させるための硬化光が照射されることによって被描画媒体の温度が上昇することを抑制することができる液滴吐出装置を提供する。【解決手段】液滴吐出装置は、光硬化型の液状体を配置して描画する対象物の被描画媒体を保持する媒体保持手段と、媒体保持手段に保持された被描画媒体に向けて液状体を吐出する吐出ヘッドと、液状体の硬化光を媒体保持手段に保持された被描画媒体に向けて射出する硬化光射出手段と、吐出ヘッドと、硬化光射出手段と、を保持するキャリッジと、被描画媒体に対して吐出ヘッドを移動させるとともに、吐出ヘッドから液状体を吐出して被描画媒体に着弾させる吐出走査における吐出ヘッドの吐出走査方向にキャリッジを走査させるヘッド走査手段と、キャリッジと一体に移動可能に配設されており、発生させた気流を媒体保持手段に保持された被描画媒体に向けて噴出する気流発生手段と、を備える。【選択図】図６
2012170864.tif 000002
【特許請求の範囲】
【請求項１】
光硬化型の液状体を配置して描画する対象物である被描画媒体を保持する媒体保持手段と、
前記液状体を、前記媒体保持手段に保持された前記被描画媒体に向けて吐出する吐出ヘッドと、
前記液状体の硬化を促進する硬化光を前記媒体保持手段に保持された前記被描画媒体に向けて射出する硬化光射出手段と、
前記吐出ヘッドと、前記硬化光射出手段と、を保持するキャリッジと、
前記被描画媒体に対して前記吐出ヘッドを相対移動させるとともに、前記吐出ヘッドから前記液状体を吐出して前記被描画媒体に着弾させる吐出走査における前記吐出ヘッドの移動方向である吐出走査方向に前記キャリッジを走査させるヘッド走査手段と、
前記キャリッジと一体に移動可能に配設されており、発生させた気流を前記媒体保持手段に保持された前記被描画媒体に向けて噴出する気流発生手段と、を備えることを特徴とする液滴吐出装置。
【請求項２】
前記気流発生手段は、雰囲気中を前記キャリッジと一体に移動させられることによって前記気流を発生させることを特徴とする、請求項１に記載の液滴吐出装置。
【請求項３】
前記気流発生手段は、前記吐出走査方向における吐出走査において進行する側に開口する気体流入口と、
前記媒体保持手段に保持された前記被描画媒体に臨むことが可能な位置に開口する気流噴出口と、
前記気体流入口と、前記気流噴出口とを接続する気体導入路と、を備えることを特徴とする、請求項１又は２に記載の液滴吐出装置。
【請求項４】
前記吐出ヘッドと、前記硬化光射出手段と、前記気流噴出口とは、前記吐出走査方向における吐出走査において進行する側から、前記吐出ヘッド、前記硬化光射出手段、前記気流噴出口、の順で、前記キャリッジに配設されていることを特徴とする、請求項３に記載の液滴吐出装置。
【請求項５】
前記硬化光射出手段は、前記吐出走査方向において、前記吐出ヘッドをはさんで両側に配設されており、前記気流噴出口は、前記吐出走査方向において、前記吐出ヘッド及び前記吐出ヘッドの両側に配設されている前記硬化光射出手段をはさんで両側に配設されていることを特徴とする、請求項３又は４に記載の液滴吐出装置。
【発明の詳細な説明】
【技術分野】
【０００１】
本発明は、被描画媒体に向けて液状体を吐出することで、被描画媒体上に液状体を配置し、当該液状体を固化させることによって、被描画媒体上に画像などを形成する液滴吐出装置に関する。
【背景技術】
【０００２】
従来から、吐出ヘッドから液状体を液滴として吐出し、任意の位置に精度よく着弾させることによって、任意の位置に任意の量の液状体を配置するインクジェット装置が知られている。このようなインクジェット装置は、配置した液状体を固化させることによって、精密な形状を有する機能膜や、精細な画像などを形成することができる製膜装置として用いられる。精密な形状を実現するために、液状体を硬化させる硬化手段をさらに備え、被描画媒体に配置した液状体を、短時間の間に硬化させる液滴吐出装置が知られている。例えば、液状体として紫外線（ＵＶ（Ultraviolet））硬化型の機能液を吐出する吐出ヘッドと、ＵＶ光を照射する硬化装置とを備える液滴吐出装置が知られている。より正確な描画形状を実現するためには、着弾した液滴が流動する前に硬化光を照射することが好ましい。このため、液滴吐出ヘッドを備えるヘッドキャリッジに硬化光源も搭載した液滴吐出装置が用いられている。
しかし、被描画媒体に、硬化光源自体の温度上昇に起因する熱や、照射光に含まれる熱エネルギーが加えられることによって、被描画媒体の温度が上昇するという弊害が生じていた。被描画媒体の温度が上昇することによって、被描画媒体が熱膨張して変形する。液滴が着弾する位置の近くの温度が上昇するため、液滴が着弾した部分が変形し、機能膜や精細な画像の形状が損なわれる可能性があるという課題があった。
【０００３】
特許文献１には、インクジェットヘッドによって光硬化型インクをインク液滴として像様に画像記録媒体上に吐出して直接描画し、インクジェットヘッドによる描画位置から画像記録媒体の副走査搬送下流側に所定距離離間した後方位置において、静止した点状又は略点状の活性光光源からの活性光を主走査方向に照射領域を拡大させつつ反射する偏向手段によって画像記録媒体上に照射し、画像記録媒体上に吐出された光硬化型インクを硬化させて画像を形成することで、活性光光源からの熱の影響を抑制して、位置精度の高い画像を形成することができる、インクジェット描画方法および装置が開示されている。
【先行技術文献】
【特許文献】
【０００４】
【特許文献１】特開２００７−１９０７８０号公報
【発明の概要】
【発明が解決しようとする課題】
【０００５】
しかしながら、光硬化型の機能液を硬化させるためには、所定の光量を照射することが必要である。必要な光量を照射する際には、当該光量に応じた熱が被描画媒体に照射され、被描画媒体の温度が上昇するという課題がった。特許文献１に記載されたインクジェット描画方法および装置においては、熱源としての光源と被描画媒体との距離を離すことは可能であるが、所定の光量を照射することにともなう熱が被描画媒体に照射されることは避けることができない。すなわち、必要な光量に応じた熱が被描画媒体に照射され、被描画媒体の温度が上昇するという課題があった。
【課題を解決するための手段】
【０００６】
本発明は、上記課題の少なくとも一部を解決するためになされたものであり、以下の形態又は適用例として実現することが可能である。
【０００７】
［適用例１］本適用例にかかる液滴吐出装置は、光硬化型の液状体を配置して描画する対象物である被描画媒体を保持する媒体保持手段と、前記液状体を、前記媒体保持手段に保持された前記被描画媒体に向けて吐出する吐出ヘッドと、前記液状体の硬化を促進する硬化光を前記媒体保持手段に保持された前記被描画媒体に向けて射出する硬化光射出手段と、前記吐出ヘッドと、前記硬化光射出手段と、を保持するキャリッジと、前記被描画媒体に対して前記吐出ヘッドを相対移動させるとともに、前記吐出ヘッドから前記液状体を吐出して前記被描画媒体に着弾させる吐出走査における前記吐出ヘッドの移動方向である吐出走査方向に前記キャリッジを走査させるヘッド走査手段と、前記キャリッジと一体に移動可能に配設されており、発生させた気流を前記媒体保持手段に保持された前記被描画媒体に向けて噴出する気流発生手段と、を備えることを特徴とする。
【０００８】
本適用例にかかる液滴吐出装置によれば、発生させた気流を媒体保持手段に保持された被描画媒体に向けて噴出する気流発生手段備える。これにより、噴出した気流を被描画媒体に吹付けることが可能であり、気流を被描画媒体に吹付けることで、被描画媒体の温度を、気流の温度に近い温度にすることができる。被描画媒体が加熱されている場合には、被描画媒体の温度が上昇することを抑制することができる。
吐出ヘッドと硬化光射出手段とは、キャリッジに保持されている。このため、硬化光射出手段から射出された硬化光は、被描画媒体における吐出ヘッドから吐出された液状体が着弾する部分の近くに照射される。吐出走査においては、ヘッド走査手段によってキャリッジを吐出走査方向に走査させる。これにより、吐出ヘッドから吐出されて被描画媒体上に着弾した液状体に、ほとんど間をおくことなく、硬化光を照射することができる。
気流発生手段は、キャリッジと一体に移動可能に配設されているため、気流発生手段から噴出する気流は、被描画媒体における硬化光射出手段から射出された硬化光が照射される部分の近くに吹付けられる。これにより、被描画媒体における硬化光が照射された部分に、ほとんど間をおくことなく、気流を吹付けることができ、硬化光が照射されることに起因する温度上昇を効率よく抑制することができる。
【０００９】
［適用例２］上記適用例にかかる液滴吐出装置は、前記気流発生手段が、雰囲気中を前記キャリッジと一体に移動させられることによって前記気流を発生させることが好ましい。
【００１０】
この液滴吐出装置によれば、気流発生手段は、雰囲気中をキャリッジと一体に移動させられることによって気流を発生させる。吐出走査を実施する際には、ヘッド走査手段によってキャリッジを吐出走査方向に走査させることで、吐出ヘッド及び硬化光射出手段を走査させる。したがって、吐出走査を実施する際には、気流発生手段は、吐出ヘッド及び硬化光射出手段が走査とともに雰囲気中を移動することで、気流を発生させて、媒体保持手段に保持された被描画媒体に向けて噴出することができる。
【００１１】
［適用例３］上記適用例にかかる液滴吐出装置は、前記気流発生手段は、前記吐出走査方向における吐出走査において進行する側に開口する気体流入口と、前記媒体保持手段に保持された前記被描画媒体に臨むことが可能な位置に開口する気流噴出口と、前記気体流入口と、前記気流噴出口とを接続する気体導入路と、を備えることが好ましい。
【００１２】
この液滴吐出装置によれば、気流発生手段は、気体流入口と、気流噴出口と、気体導入路と、を備える。気体流入口は、吐出走査方向における吐出走査において進行する側に開口している。これにより、吐出走査によって、雰囲気に対して気流発生手段が移動することで、気体流入口から、気流発生手段内に、雰囲気を流入させることができる。気体流入口と気流噴出口とは、気体導入路によって接続されている。これにより、気体流入口から気流発生手段内に流入した雰囲気が流動する気流を、気体導入路を介して、気流噴出口に導くことができる。気流噴出口は、媒体保持手段に保持された被描画媒体に臨むことが可能な位置に開口しているため、気体導入路を介して、気流噴出口に導かれた気流を、被描画媒体に向けて噴出することができる。
【００１３】
［適用例４］上記適用例にかかる液滴吐出装置は、前記吐出ヘッドと、前記硬化光射出手段と、前記気流噴出口とが、前記吐出走査方向における吐出走査において進行する側から、前記吐出ヘッド、前記硬化光射出手段、前記気流噴出口、の順で、前記キャリッジに配設されていることが好ましい。
【００１４】
この液滴吐出装置によれば、吐出走査において進行する側から、吐出ヘッド、硬化光射出手段、気流噴出口、の順で配設されているため、吐出走査に際しては、被描画媒体の部分に、吐出ヘッド、硬化光射出手段、気流噴出口、の順で対向する。これにより、吐出走査においてキャリッジが走査されることで、吐出ヘッドが対向して、吐出した液滴を着弾させた部分に、続いて硬化光射出手段が対向して硬化光を照射し、さらに続いて気流噴出口が対向して気流を吹付けることができる。
【００１５】
［適用例５］上記適用例にかかる液滴吐出装置は、前記硬化光射出手段が、前記吐出走査方向において、前記吐出ヘッドをはさんで両側に配設されており、前記気流噴出口が、前記吐出走査方向において、前記吐出ヘッド及び前記吐出ヘッドの両側に配設されている前記硬化光射出手段をはさんで両側に配設されていることが好ましい。
【００１６】
この液滴吐出装置によれば、吐出ヘッドをはさんで両側に、硬化光射出手段及び気流噴出口が配設されている。これにより、吐出走査における進行方向が吐出走査方向におけるどちらの方向であっても、吐出走査においてキャリッジが走査されることで、吐出ヘッドが対向して、吐出した液滴を着弾させた部分に、続いて硬化光射出手段が対向して硬化光を照射し、さらに続いて気流噴出口が対向して気流を吹付けることができる。
【図面の簡単な説明】
【００１７】
【図１】液滴吐出装置の全体構成の概略を示す説明図。
【図２】（ａ）は、液滴吐出ヘッドの概略構成を示す外観斜視図。（ｂ）は、液滴吐出ヘッドの構造を示す斜視断面図。（ｃ）は、液滴吐出ヘッドの吐出ノズルの部分の構造を示す断面図。
【図３】ヘッドユニット及び紫外線照射部の概略構成を示す平面図。
【図４】（ａ）は、吐出ノズルの配置位置を示す説明図。（ｂ）は、液滴をノズル列の延在方向に直線状に着弾させた状態を示す説明図。（ｃ）は、液滴を主走査方向に直線状に着弾させた状態を示す説明図。（ｄ）は、液滴を面状に着弾させた状態を示す説明図。
【図５】（ａ）は、気流形成器の平面形状示す説明図。（ｂ）は、気流形成器をＸ軸方向に平行な方向から見た側面形状を示す説明図。（ｃ）は、気流形成器をＹ軸方向に平行な方向から見た側面形状を示す説明図。
【図６】（ａ）は、ヘッドキャリッジの平面形状示す説明図。（ｂ）は、ヘッドキャリッジをＸ軸方向に平行な方向から見た側面形状を示す説明図。（ｃ）は、ヘッドキャリッジをＹ軸方向に平行な方向から見た側面形状を示す説明図。（ｄ）は、ヘッドキャリッジを（ａ）とは反対側から見た形状を示す説明図。
【図７】（ａ）は、ヘッドキャリッジをＸ軸方向に平行な方向から見た側面形状、及びヘッドキャリッジと被描画媒体との位置関係を示す説明図。（ｂ）は、被描画媒体上のヘッド対向領域と、ＵＶ光照射領域と、気流吹付け領域との位置関係を示す説明図。
【発明を実施するための形態】
【００１８】
以下、液滴吐出装置について、図面を参照して説明する。液滴吐出装置は、液滴吐出ヘッドと被描画媒体とを相対移動させると共に、液滴吐出ヘッドの吐出ノズルから機能液の液滴を吐出して、被描画媒体上の所定の位置に着弾させることによって、所定の画像を形成する装置である。機能液は、例えば紫外線を照射することによって硬化する紫外線硬化型の機能液を用いる。本実施形態は、液滴吐出ヘッドを備え、当該液滴吐出ヘッドを用いて、被描画媒体上に紫外線硬化型の機能液を配置し、配置した機能液に紫外線を照射して硬化させることによって画像を描画する液滴吐出装置を例に説明する。
なお、以下の説明において参照する図面では、図示の便宜上、部材又は部分の縦横の縮尺を実際のものとは異なるように表す場合がある。
【００１９】
＜液滴吐出装置＞
最初に、液滴吐出装置１の全体構成について、図１を参照して説明する。図１は、液滴吐出装置の全体構成の概略を示す説明図である。
【００２０】
図１に示すように、液滴吐出装置１は、ヘッド機構部２と、媒体機構部３と、機能液供給部４と、吐出装置制御部６と、保守装置部（図示省略）と、定盤９と、を備えている。ヘッド機構部２と媒体機構部３とは、定盤９上に配設されている。ヘッド機構部２は、機能液を液滴として吐出する液滴吐出ヘッド２０を有している。定盤９は、略直方体形状を有しており、ヘッド機構部２及び媒体機構部３が配設されている面は、略長方形の平面形状を有している。当該略長方形の一辺の延在方向をＸ軸方向、当該一辺に略直交する他の一辺に略平行であってＸ軸方向に直交する方向をＹ軸方向、Ｘ軸方向及びＹ軸方向に直交する方向をＺ軸方向と表記する。液滴吐出ヘッド２０が、吐出ヘッドに相当する。
【００２１】
ヘッド機構部２は、ヘッドキャリッジ２２と、ヘッドキャリッジ２２をＹ軸方向に移動させるヘッド走査機構６２とを、備えている。
ヘッドキャリッジ２２は、キャリッジ枠２２Ａと、液滴吐出ヘッド２０を有するヘッドユニット２１と、紫外線照射部９５と、気流形成器７１と、を備えている。ヘッドユニット２１と、紫外線照射部９５と、気流形成器７１とは、キャリッジ枠２２Ａに固定されて保持されている。
ヘッド走査機構６２は、支持柱６３と、支持梁６４と、移動枠６６と、を備えている。
２本の支持柱６３が、定盤９上に立設されている。支持梁６４は、２つの支持柱６３に掛け渡されるように設けられ、Ｙ軸方向に延在している。移動枠６６は、支持梁６４に懸吊されて、Ｙ軸方向に摺動自在に支持されている。支持梁６４には、図示省略したリニアモーターが配設されており、当該リニアモーターによって、移動枠６６をＹ軸方向に自在に移動させることができる。また、移動した任意の位置に保持することができる。
移動枠６６には、キャリッジ枠２２Ａが懸吊されて支持されることで、ヘッドキャリッジ２２が支持されている。リニアモーターによって、移動枠６６をＹ軸方向に移動させたり任意の位置に保持したりすることで、ヘッドキャリッジ２２をＹ軸方向に自在に移動させることができる。また、移動した任意の位置に保持することができる。
キャリッジ枠２２Ａが、キャリッジに相当する。ヘッド走査機構６２が、ヘッド走査手段に相当する。気流形成器７１が、気流発生手段に相当する。
【００２２】
媒体機構部３は、媒体載置台３１と、スライド台３１ａと、媒体移動機構３３と、を備えている。
媒体移動機構３３は、Ｘ軸ガイド３５とＸ軸リニアモーター（図示省略）と、を備えている。Ｘ軸ガイド３５は、２つの支持柱６３の間で、支持梁６４の下方に配設されており、Ｘ軸方向に略平行に延在している。スライド台３１ａは、Ｘ軸方向に摺動自在に、Ｘ軸ガイド３５に支持されている。Ｘ軸リニアモーターは、Ｘ軸ガイド３５と略平行に配設されており、スライド台３１ａは、Ｘ軸リニアモーターによって、Ｘ軸方向に移動させられる。また、移動した任意の位置に保持させられる。
媒体載置台３１は、図示省略した媒体回動機構によって、Ｘ軸方向及びＹ軸方向と直交するＺ軸方向に平行な軸まわりの方向に回動可能に、スライド台３１ａの上に固定されて、支持されている。
【００２３】
媒体移動機構３３によって、スライド台３１ａをＸ軸方向に移動させることで、スライド台３１ａに固定されて支持された媒体載置台３１を、Ｘ軸方向に自在に移動させることができる。また、移動した任意の位置に保持することができる。すなわち、媒体載置台３１に保持された被描画媒体Ｗを、Ｘ軸方向に自在に移動させることができる。また、移動した任意の位置に保持することができる。
媒体載置台３１が、媒体保持手段に相当する。
【００２４】
ヘッド機構部２のヘッドキャリッジ２２が備えるヘッドユニット２１が有する液滴吐出ヘッド２０は、ノズル基板２５（図２参照）を下側に向けて、保持されている。媒体載置台３１に保持された被描画媒体Ｗを、Ｘ軸方向の液滴吐出ヘッド２０が対向可能な位置まで移動して停止し、上方にある液滴吐出ヘッド２０（ヘッドユニット２１）のＹ軸方向の移動に同調して、機能液を液滴として吐出する。Ｘ軸方向に移動する被描画媒体Ｗと、Ｙ軸方向に移動する液滴吐出ヘッド２０とを相対的に制御することにより、被描画媒体Ｗ上の任意の位置に液滴を着弾させることで、所望する平面形状の描画を実施することが可能である。
ヘッドキャリッジ２２において、ヘッドユニット２１のＹ軸方向の両側には、紫外線硬化型機能液を仮硬化させるための紫外線照射部９５（図３参照）が、１つずつ設けられている。機能液として紫外線硬化型機能液を用いて描画した画像を、紫外線照射部９５を用いて硬化させることができる。
【００２５】
機能液供給部４は、機能液タンク４１と、給液ポンプ（図示省略）と、中継タンク（図示省略）と、給液チューブ４２とを有している。給液チューブ４２が、機能液タンク４１から液滴吐出ヘッド２０に接続されており、給液チューブ４２を介して機能液が液滴吐出ヘッド２０に供給される。
保守装置部は、各種保守装置を備えている。保守装置は、液滴吐出ヘッド２０の各種の保守を実施する装置である。液滴吐出ヘッド２０の保守を実施する際には、ヘッドユニット２１（液滴吐出ヘッド２０）が、例えばヘッド走査機構６２を用いて保守装置部に臨む位置に移動させられ、保守作業が実施される。
吐出装置制御部６は、これら各機構部などと電気的に接続されており、これら各機構部などを総括的に制御する。
【００２６】
＜液滴吐出ヘッド＞
次に、液滴吐出ヘッド２０について、図２を参照して説明する。図２は、液滴吐出ヘッドの概略構成を示す図である。図２（ａ）は、液滴吐出ヘッドの概略構成を示す外観斜視図であり、図２（ｂ）は、液滴吐出ヘッドの構造を示す斜視断面図であり、図２（ｃ）は、液滴吐出ヘッドの吐出ノズルの部分の構造を示す断面図である。図２に示したＸ軸方向、及びＺ軸方向は、液滴吐出ヘッド２０が液滴吐出装置１に装着された状態において、図１に示したＸ軸方向、又はＺ軸方向と一致している。
【００２７】
図２（ａ）に示したように、液滴吐出ヘッド２０は、ノズル基板２５を備えている。ノズル基板２５には、多数の吐出ノズル２４が略一直線状に並んだノズル列２４Ａが２列形成されている。吐出ノズル２４から機能液を液滴として吐出し、対向する位置にある描画対象物などに着弾させることで、当該位置に機能液を配置する。ノズル列２４Ａは、液滴吐出ヘッド２０が液滴吐出装置１に装着された状態で、図１に示したＸ軸方向に延在している。ノズル列２４Ａにおいて吐出ノズル２４は等間隔のノズルピッチで並んでおり、２列のノズル列２４Ａ間で、吐出ノズル２４の位置がＸ軸方向に半ノズルピッチずれている。したがって、液滴吐出ヘッド２０としては、Ｘ軸方向に半ノズルピッチ間隔で機能液の液滴を配置することができる。ノズルピッチは、例えば１４０μｍであり、半ノズルピッチは、７０μｍである。
【００２８】
図２（ｂ）及び（ｃ）に示すように、液滴吐出ヘッド２０は、ノズル基板２５に圧力室プレート５１が積層されており、圧力室プレート５１に振動板５２が積層されている。
圧力室プレート５１には、液滴吐出ヘッド２０に供給される機能液が常に充填される液たまり５５が形成されている。液たまり５５は、振動板５２と、ノズル基板２５と、圧力室プレート５１の壁とに囲まれた空間である。機能液は、機能液供給部４から液滴吐出ヘッド２０に供給され、振動板５２の液供給孔５３を経由して液たまり５５に供給される。また、圧力室プレート５１には、複数のヘッド隔壁５７によって区切られた圧力室５８が形成されている。振動板５２と、ノズル基板２５と、２個のヘッド隔壁５７とによって囲まれた空間が圧力室５８である。
【００２９】
圧力室５８は吐出ノズル２４のそれぞれに対応して設けられており、圧力室５８の数と吐出ノズル２４の数とは同じである。圧力室５８には、２個のヘッド隔壁５７の間に位置する供給口５６を経由して、液たまり５５から機能液が供給される。ヘッド隔壁５７と圧力室５８と吐出ノズル２４と供給口５６との組は、液たまり５５に沿って１列に並んでおり、１列に並んだ吐出ノズル２４がノズル列２４Ａを形成している。図２（ｂ）では図示省略したが、図示した吐出ノズル２４を含むノズル列２４Ａに対して液たまり５５に関して略対称位置に、１列に並んで配設された吐出ノズル２４がもう１列のノズル列２４Ａを形成している。当該ノズル列２４Ａに対応するヘッド隔壁５７と圧力室５８と供給口５６との組が、１列に並んでいる。
【００３０】
振動板５２の圧力室５８を構成する部分には、それぞれ圧電素子５９の一端が固定されている。圧電素子５９の他端は、固定板（図示省略）を介して液滴吐出ヘッド２０全体を支持する基台（図示省略）に固定されている。
圧電素子５９は、電極層と圧電材料とを積層した活性部を有している。圧電素子５９は、電極層に駆動電圧を印加することで、活性部が長手方向（図２（ｂ）又は（ｃ）における振動板５２の厚さ方向）に縮む。電極層に印加されていた駆動電圧が解除されることで、活性部が元の長さに戻る。
【００３１】
電極層に駆動電圧が印加されて、圧電素子５９の活性部が縮むことで、圧電素子５９の一端が固定された振動板５２が圧力室５８と反対側に引張られる力を受ける。振動板５２が圧力室５８と反対側に引張られることで、振動板５２が圧力室５８の反対側に撓む。これにより、圧力室５８の容積が増加することから、機能液が液たまり５５から供給口５６を経て圧力室５８に供給される。次に、電極層に印加されていた駆動電圧が解除されると、活性部が元の長さに戻ることで、圧電素子５９が振動板５２を押圧する。振動板５２が押圧されることで、圧力室５８側に戻る。これにより、圧力室５８の容積が急激に元に戻る。すなわち増加していた容積が減少することから、圧力室５８内に充填されていた機能液に圧力が加わり、当該圧力室５８に連通して形成された吐出ノズル２４から機能液が液滴となって吐出される。
【００３２】
＜ヘッドユニット及び紫外線照射部＞
次に、ヘッド機構部２のヘッドキャリッジ２２が備えるヘッドユニット２１及び紫外線照射部９５の概略構成について、図３を参照して説明する。図３は、ヘッドユニット及び紫外線照射部の概略構成を示す平面図である。図３に示したＸ軸方向及びＹ軸方向は、ヘッドユニット２１及び紫外線照射部９５が液滴吐出装置１に取り付けられた状態において、図１に示したＸ軸方向又はＹ軸方向と一致している。
【００３３】
図３に示したように、ヘッドユニット２１は、ユニットプレート２３と、ユニットプレート２３に搭載された９個の液滴吐出ヘッド２０と、を有している。２個の紫外線照射部９５が、Ｙ軸方向において、ヘッドユニット２１を挟んで両側にそれぞれ１個ずつ、配設されている。
液滴吐出ヘッド２０は、図示省略したヘッド保持部材を介してユニットプレート２３に固定されている。固定された液滴吐出ヘッド２０は、ヘッド本体がユニットプレート２３に形成された孔（図示省略）に遊嵌して、ノズル基板２５が、ユニットプレート２３の面より突出した位置に位置している。図３は、ノズル基板２５の側から見た図である。９個の液滴吐出ヘッド２０は、Ｘ軸方向に分かれて、それぞれ３個ずつの液滴吐出ヘッド２０を有するヘッド組２０Ａを３群、形成している。それぞれの液滴吐出ヘッド２０のノズル列２４Ａは、ヘッドユニット２１が液滴吐出装置１に取り付けられた状態において、Ｘ軸方向に延在している。
【００３４】
液滴吐出ヘッド２０は、Ｘ軸方向において、互いに隣り合う液滴吐出ヘッド２０の、一方の液滴吐出ヘッド２０の端の吐出ノズル２４に対して、もう一方の液滴吐出ヘッド２０の端の吐出ノズル２４が半ノズルピッチずれて位置する位置に、配設されている。一つのヘッドユニット２１が備える９個の液滴吐出ヘッド２０のＹ軸方向の位置を同じにすると、吐出ノズル２４は、Ｘ軸方向に半ノズルピッチの等間隔で並ぶ。すなわち、Ｙ軸方向の同じ位置において、それぞれの液滴吐出ヘッド２０が有するそれぞれのノズル列２４Ａを構成する吐出ノズル２４から吐出された液滴は、設計上では、Ｘ軸方向に半ノズルピッチの等間隔に並んで一直線上に着弾する。
ノズル列２４Ａは、例えば１８０個の吐出ノズル２４を有しており、液滴吐出ヘッド２０は、３６０個の吐出ノズル２４を有している。９個の液滴吐出ヘッド２０を有するヘッドユニット２１は、３２４０個の吐出ノズル２４を有している。一つのヘッドユニット２１が備える９個の液滴吐出ヘッド２０が有する１８列のノズル列２４Ａは、１本のノズル列として扱うこともできる。当該ノズル列を「ユニットノズル列２４０Ａ」と表記する。ユニットノズル列２４０Ａは、３２４０個の吐出ノズル２４を有している。ユニットノズル列２４０Ａのそれぞれの吐出ノズル２４から一滴ずつ吐出させて、Ｙ軸方向が同じ位置になるように着弾させると、３２４０個の点が半ノズルピッチのピッチ間隔で連なる直線が形成される。
【００３５】
紫外線照射部９５は、支持枠（図示省略）と、ＵＶＬＥＤ（Ultraviolet  Light  Emitting  Diode）９６と、ＬＥＤ筐体９７と、を備えている。ＵＶＬＥＤ９６は、紫外線を射出するＬＥＤである。
ＬＥＤ筐体９７は、ユニットプレート２３のＹ軸方向の側面に支持枠を介して固定されている。ＬＥＤ筐体９７は、略直方体形状の外形を有し、内部に略直方体形状で一面が開口した筐体室が形成されている。筐体室は、媒体載置台３１に臨む側が開口している。筐体室には、ＵＶＬＥＤ９６が、開口側に紫外線を射出する状態で固定されている。複数のＵＶＬＥＤ９６が、Ｘ軸方向に並んで配設されている。複数のＵＶＬＥＤ９６は、Ｘ軸方向において、ヘッドユニット２１の液滴吐出ヘッド２０が機能液を配置可能な幅を包含する範囲に、紫外線を照射することができる。
紫外線照射部９５が、硬化光射出手段に相当する。
【００３６】
上述したように、紫外線照射部９５は、Ｙ軸方向（吐出走査方向）において、９個の液滴吐出ヘッド２０を挟んで両側に、９個の液滴吐出ヘッド２０に関して略対称な状態で、配設されている。
ヘッドユニット２１がＹ軸方向に走査されて機能液を吐出する際には、液滴吐出ヘッド２０に並んで配設されたＵＶＬＥＤ９６から、略並行して、紫外線を照射させる。
走査方向において、ヘッドユニット２１の後側に位置するＵＶＬＥＤ９６から紫外線を照射することで、吐出されて着弾させられた機能液に、着弾した直後に紫外線を照射することができる。機能液に紫外線を照射することで、機能液を硬化させることができる。機能液の硬化率に影響を及ぼす要因は、走査速度、ＵＶＬＥＤ９６の照射領域のＹ軸方向における幅、ＵＶＬＥＤ９６の照射強度、などである。これらの要因について、適切な値に設定することで、着弾させられた機能液を適切な硬化率に硬化させることができる。
【００３７】
＜着弾位置＞
次に、液滴吐出ヘッド２０の吐出ノズル２４と、それぞれの吐出ノズル２４から吐出された液滴の着弾位置と、の関係について、図４を参照して説明する。図４は、吐出ノズルと、それぞれの吐出ノズルから吐出された液滴の着弾位置と、の関係を示す説明図である。図４（ａ）は、吐出ノズルの配置位置を示す説明図であり、図４（ｂ）は、液滴をノズル列の延在方向に直線状に着弾させた状態を示す説明図であり、図４（ｃ）は、液滴を吐出走査方向に直線状に着弾させた状態を示す説明図であり、図４（ｄ）は、液滴を面状に着弾させた状態を示す説明図である。図４に示したＸ軸方向及びＹ軸方向は、ヘッドユニット２１が液滴吐出装置１に取り付けられた状態において、図１に示したＸ軸方向又はＹ軸方向と一致している。Ｙ軸方向が吐出走査方向であって、図４に示した矢印ａの方向に吐出ノズル２４（液滴吐出ヘッド２０）を相対移動させながら、任意の位置において機能液の液滴を吐出することによって、Ｙ軸方向の任意の位置に液滴を着弾させることができる。
【００３８】
図４（ａ）に示すように、ノズル列２４Ａを構成する吐出ノズル２４は、Ｘ軸方向にノズルピッチＰの中心間距離で配列されている。上述したように、２列のノズル列２４Ａをそれぞれ構成する吐出ノズル２４同士は、Ｘ軸方向において、相互に、ノズルピッチＰの１／２ずつ位置がずれている。
【００３９】
図４（ｂ）に示すように、着弾位置を示す着弾点９１と、着弾した液滴の濡れ広がり状態を示す着弾円９１Ａとで、着弾した１滴の液滴の状態を示している。２列のノズル列２４Ａの全部の吐出ノズル２４から、図４（ｂ）に二点鎖線で示した仮想線Ｌ上に着弾させるタイミングで、それぞれ液滴を吐出させることによって、ノズルピッチＰの１／２の中心間間隔で着弾円９１Ａが連なる直線が形成される。
【００４０】
図４（ｃ）に示すように、一つの吐出ノズル２４から連続して液滴を吐出させることによって、Ｙ軸方向に着弾円９１Ａが連なる直線が形成される。Ｙ軸方向における着弾点９１間の中心間距離の最小値を、最小着弾距離ｄと表記する。最小着弾距離ｄは、吐出走査方向の相対移動速度と、吐出ノズル２４の最小吐出間隔との積である。
【００４１】
図４（ｄ）に示すように、二点鎖線で示した仮想線Ｌ１，Ｌ２，Ｌ３上に着弾させるタイミングで、それぞれ液滴を吐出させることによって、ノズルピッチＰの１／２の中心間間隔で着弾円９１Ａが連なる直線が、Ｙ軸方向に並列した着弾面が形成される。図４（ｄ）に示した仮想線Ｌ１，Ｌ２，Ｌ３間の距離が最小着弾距離ｄの場合のそれぞれの着弾点９１が、液滴吐出装置１によって機能液の液滴を配置可能な位置である。
【００４２】
画像の描画に際しては、画像の情報に従って、図４（ｄ）に示したそれぞれの着弾点９１の位置について、液滴を配置する位置を定める。例えば、当該配置位置、及び配置位置に液滴を吐出する吐出ノズル２４を指定した配置表を形成し、配置表に従って機能液を着弾させることによって、画像の情報によって規定される画像を描画する。なお、図４（ｄ）に示した例では、着弾円９１Ａの間に隙間が存在するが、ノズルピッチＰや最小着弾距離ｄに対して、吐出する液滴の１滴あたりの吐出重量を適切に定めることによって、隙間なく機能液を配置することが可能である。
【００４３】
＜気流形成器＞
次に、気流形成器７１について、図５を参照して説明する。図５は、気流形成器の形状を示す説明図である。図５（ａ）は、気流形成器の平面形状示す説明図であり、図５（ｂ）は、気流形成器をＸ軸方向に平行な方向から見た側面形状を示す説明図であり、図５（ｃ）は、気流形成器をＹ軸方向に平行な方向から見た側面形状を示す説明図である。図５に示したＸ軸方向、Ｙ軸方向、及びＺ軸方向は、気流形成器７１を備えるヘッドキャリッジ２２が液滴吐出装置１に取り付けられた状態において、図１に示したＸ軸方向、Ｙ軸方向、又はＺ軸方向と一致している。図５では、図を簡単にするために、気流形成器７１を構成する壁の厚さを省略して示している。
【００４４】
図５に示したように、気流形成器７１は、空気取込部７２と、流路部７６と、空気噴出部７７と、を備えている。
空気取込部７２は、四角錐台状の外形形状を有している。空気取込部７２は、四角錐台の底面と頂面とが開口して、外形と略相似形の四角錐台状の中空部７２Ａが形成された角筒である。底面の開口を空気流入口７３と表記し、頂面の開口を取込接続口７４と表記する。角筒を構成する４面の壁を、それぞれ、取込部壁７２ａ、取込部壁７２ｂ、取込部壁７２ｃ、取込部壁７２ｄと表記する。空気取込部７２は、気流形成器７１が液滴吐出装置１に取り付けられた状態において、底面又は頂面である空気流入口７３及び取込接続口７４が、Ｚ軸方向及びＸ軸方向に略平行である。取込部壁７２ａは、Ｘ軸方向及びＹ軸方向に略平行な壁である。取込部壁７２ｂは、Ｙ軸方向及びＺ軸方向に略平行な壁である。取込部壁７２ａと取込部壁７２ｂとは、一辺で互いに接続されており、接続部はＹ軸方向に略平行である。取込部壁７２ｃは、取込部壁７２ａと対向する位置にあり、取込部壁７２ｂと、一辺で互いに接続されている。取込部壁７２ｃは、取込接続口７４を構成する端が、空気流入口７３を構成する端より取込部壁７２ａに近くなる方向に傾いている。取込部壁７２ｄは、取込部壁７２ｂと対向する位置にあり、取込部壁７２ｃと、一辺で互いに接続されており、取込部壁７２ａとも、他の一辺で互いに接続されている。取込部壁７２ｄは、取込接続口７４を構成する端が、空気流入口７３を構成する端より取込部壁７２ｂに近くなる方向に傾いている。取込接続口７４は、略正方形である。
空気流入口７３が、気体流入口に相当する。
【００４５】
空気噴出部７７は、略直方体形状の外形を有しており、略直方体形状の中空部７７Ａが形成されている。空気噴出部７７は、気流形成器７１が液滴吐出装置１に取り付けられた状態において、略直方体形状の各面が、それぞれ、Ｘ軸方向及びＹ軸方向、Ｙ軸方向及びＺ軸方向、又はＸ軸方向及びＺ軸方向に、略平行となる。当該状態で、空気噴出部７７の定盤９に対向する端は中空部７７Ａが開口している。当該開口を空気噴出口７９と表記する。Ｙ軸方向及びＺ軸方向に略平行な２個の壁の一方の壁には、空気噴出口７９と反対側の端に噴出接続口７８が形成されている。中空部７７ＡのＹ軸方向の幅は、略正方形形状の取込接続口７４の辺の長さと略同じである。中空部７７ＡのＸ軸方向の幅は、ヘッドユニット２１の液滴吐出ヘッド２０が機能液を配置可能な幅を包含する幅である。噴出接続口７８の開口形状は、取込接続口７４と略同等である。空気噴出口７９のＹ軸方向の幅は、噴出接続口７８及び取込接続口７４の開口幅と略同等である。空気噴出口７９のＸ軸方向の幅は、ヘッドユニット２１の液滴吐出ヘッド２０が機能液を配置可能な幅を包含する幅であって、空気流入口７３のＸ軸方向の幅より、概ね取込接続口７４の開口幅分短い幅である。空気噴出口７９が、気流噴出口に相当する。
【００４６】
空気取込部７２と、空気噴出部７７との位置関係は、Ｚ軸方向において、空気噴出部７７の空気噴出口７９の反対側の面が、取込部壁７２ａの外面と、略同位置である。Ｘ軸方向において、噴出接続口７８が開口する面が、取込接続口７４の取込部壁７２ｄによって形成されている辺と、略同位置である。Ｙ軸方向において、空気噴出部７７のＸ軸方向及びＺ軸方向に略平行な外面が、取込接続口７４と、略同位置であり、空気取込部７２と空気噴出部７７とが重ならない位置である。
流路部７６は、略直方体形状の外形を有する中空部材であり、取込接続口７４と接続されることで、空気取込部７２と接続されており、噴出接続口７８と接続されることで、空気噴出部７７と接続されている。流路部７６の取込接続口７４又は噴出接続口７８と接続される部分は開口しており、空気取込部７２の中空部７２Ａと空気噴出部７７の中空部７７Ａとは、流路部７６の中空部を介して接続されている。中空部７２Ａと流路部７６と中空部７７Ａとが、気体導入路に相当する。
【００４７】
気流形成器７１が、図５（ａ）に矢印Ｃで示した方向に移動することで、空気取込部７２の空気流入口７３から中空部７２Ａに空気が流入する。中空部７２Ａに流入した空気は、取込接続口７４に導かれ、流路部７６内を流れて、噴出接続口７８から中空部７７Ａに流入する。中空部７２Ａの中における空気の流れる方向の概念を、矢印ｗ１で示している。空気流入口７３の開口面積が取込接続口７４の開口面積より大きいため、取込接続口７４にから流路部７６内を流れて噴出接続口７８に至る空気流の流速は、気流形成器７１が矢印Ｃで示した方向に移動する移動速度より速くなる。流路部７６内を流れる空気の流れる方向の概念を、矢印ｗ２で示している。
中空部７２Ａに流入した空気は、空気噴出口７９から噴出する。上述したように、空気噴出口７９のＸ軸方向の幅は、ヘッドユニット２１の液滴吐出ヘッド２０が機能液を配置可能な幅を包含する幅であって、空気流入口７３のＸ軸方向の幅より、概ね取込接続口７４の開口幅分短い幅である。すなわち、空気噴出口７９の開口面積は、空気流入口７３の開口面積の数分の１であるため、空気噴出口７９から噴出する空気流の流速は、気流形成器７１が矢印Ｃで示した方向に移動する移動速度より速くなる。中空部７７Ａの中における空気の流れる方向の概念を、矢印ｗ３で示している。空気噴出口７９から噴出する空気流の流れる方向の概念を、矢印ｗ４で示している。
【００４８】
＜ヘッドキャリッジ＞
次に、ヘッドキャリッジ２２について、図６を参照して説明する。図６は、ヘッドキャリッジの構成を示す説明図である。図６（ａ）は、ヘッドキャリッジの平面形状示す説明図であり、図６（ｂ）は、ヘッドキャリッジをＸ軸方向に平行な方向から見た側面形状を示す説明図であり、図６（ｃ）は、ヘッドキャリッジをＹ軸方向に平行な方向から見た側面形状を示す説明図であり、図６（ｄ）は、ヘッドキャリッジを図６（ａ）とは反対側から見た形状を示す説明図である。図６に示したＸ軸方向、Ｙ軸方向、及びＺ軸方向は、ヘッドキャリッジ２２が液滴吐出装置１に取り付けられた状態において、図１に示したＸ軸方向、Ｙ軸方向、又はＺ軸方向と一致している。図６では、図を簡単にするために、図５と同様に、気流形成器７１を構成する壁の厚さを省略して示している。
【００４９】
上述したように、ヘッドキャリッジ２２は、キャリッジ枠２２Ａと、液滴吐出ヘッド２０を有するヘッドユニット２１と、紫外線照射部９５と、気流形成器７１と、を備えている。さらに詳細には、図６に示すように、ヘッドキャリッジ２２は、２個の気流形成器７１を備えている。２個の気流形成器７１の１個は、図５を参照して説明した気流形成器７１である。もう１個の気流形成器７１は、図５を参照して説明した気流形成器７１と、Ｚ軸方向に平行な軸に関して、図５を参照して説明した気流形成器７１と対称の形状を有する気流形成器７１である。当該気流形成器７１を、気流形成器１７１と表記する。
【００５０】
気流形成器１７１は、気流形成器７１と同様の構成であって、空気取込部１７２と、流路部１７６と、空気噴出部１７７と、を備えている。
空気取込部１７２は、空気取込部７２と同様の構成であって、取込部壁１７２ａ（図示省略）、取込部壁１７２ｂ、取込部壁１７２ｃ、及び取込部壁１７２ｄを備え、空気流入口１７３と、中空部１７２Ａと、取込接続口１７４と、が形成されている。
空気噴出部１７７は、空気噴出部７７と同様に、略直方体形状の外形を有しており、噴出接続口１７８と、中空部１７７Ａと、空気噴出口１７９と、が形成されている。
空気取込部１７２と、空気噴出部１７７との位置関係は、空気取込部７２と、空気噴出部７７との位置関係と、略同等である。流路部１７６は、取込接続口１７４と接続されることで、空気取込部１７２と接続されており、噴出接続口１７８と接続されることで、空気噴出部１７７と接続されている。空気取込部１７２の中空部１７２Ａと空気噴出部１７７の中空部１７７Ａとは、流路部１７６の中空部を介して接続されている。
空気流入口１７３が、気体流入口に相当する。空気噴出口１７９が、気流噴出口に相当する。中空部１７２Ａと流路部１７６と中空部１７７Ａとが、気体導入路に相当する。
【００５１】
図６（ａ）に示すように、気流形成器１７１と気流形成器７１とは、取込部壁１７２ｄと取込部壁７２ｄとが対向し、空気流入口１７３と空気流入口７３とが、Ｙ軸方向において互いに反対側に開口する位置関係で、図６では図示省略したキャリッジ枠２２Ａに固定されている。空気取込部１７２と空気取込部７２とは、Ｙ軸方向において、互いに重なる位置に位置している。空気噴出部１７７と空気噴出部７７とは、Ｘ軸方向において、互いに重なる位置に位置している。
上述したように、空気取込部７２と、空気噴出部７７との位置関係は、Ｚ軸方向において、空気噴出部７７の空気噴出口７９の反対側の面が、取込部壁７２ａの外面と、略同位置である。したがって、空気取込部１７２と、空気噴出部１７７との位置関係は、Ｚ軸方向において、空気噴出部１７７の空気噴出口１７９の反対側の面が、取込部壁１７２ａの外面と、略同位置である。図６（ｂ）及び（ｃ）に示すように、空気噴出部１７７と空気噴出部７７とは、Ｚ軸方向において、互いに重なならない位置に位置している。
【００５２】
上述したように、紫外線照射部９５は、Ｙ軸方向（吐出走査方向）において、ヘッドユニット２１を挟んで両側に、ヘッドユニット２１の９個の液滴吐出ヘッド２０に関して略対称な状態で、配設されている。図６（ｂ）及び（ｄ）に示すように、ヘッドユニット２１及び紫外線照射部９５は、空気噴出部１７７と空気噴出部７７との間に配設されている。ヘッドユニット２１及び紫外線照射部９５は、Ｘ軸方向及びＹ軸方向において、空気取込部１７２及び空気取込部７２と、略重なっている。すなわち、ヘッドユニット２１及び紫外線照射部９５は、空気取込部１７２及び空気取込部７２と、Ｚ軸方向に並んでいる。
【００５３】
＜気流吹付け領域＞
次に、液滴吐出装置１を用いて被描画媒体１００に描画する工程における、ヘッド対向領域１２０と、ＵＶ光照射領域１９０と、気流吹付け領域１７０との位置関係について、図７を参照して説明する。図７は、ヘッド対向領域と、ＵＶ光照射領域と、気流吹付け領域との位置関係を、ヘッドキャリッジと対比して示す説明図である。図７（ａ）は、ヘッドキャリッジをＸ軸方向に平行な方向から見た側面形状、及びヘッドキャリッジと被描画媒体との位置関係を示す説明図であり、図７（ｂ）は、被描画媒体上のヘッド対向領域と、ＵＶ光照射領域と、気流吹付け領域との位置関係を示す説明図である。図７に示したＸ軸方向、Ｙ軸方向、及びＺ軸方向は、ヘッドキャリッジ２２が液滴吐出装置１に取り付けられた状態において、図１に示したＸ軸方向、Ｙ軸方向、又はＺ軸方向と一致している。
【００５４】
ヘッド対向領域１２０は、媒体載置台３１に支持された被描画媒体１００における、ヘッドユニット２１が備える９個の液滴吐出ヘッド２０が対向する範囲を、長方形で表した領域である。ユニットノズル列２４０Ａから吐出されて着弾した機能液は、Ｘ軸方向において、ヘッド対向領域１２０の幅の範囲に位置している。
ＵＶ光照射領域１９０は、媒体載置台３１に支持された被描画媒体１００における、紫外線照射部９５によって一度に紫外線を照射可能な領域である。
気流吹付け領域１７０は、媒体載置台３１に支持された被描画媒体１００における、気流形成器１７１又は気流形成器７１によって、同時に気流を吹き付けることが可能な領域である。
【００５５】
吐出走査においては、着弾した機能液に紫外線を照射するために、吐出走査方向の上流側の紫外線照射部９５に紫外線を照射させる。ヘッドキャリッジ２２の吐出走査方向が、図７に示した矢印Ｃ１の方向の場合、ＵＶ光照射領域１９０は、図７（ｂ）に示したように、ヘッド対向領域１２０に対して矢印Ｃ１の方向の後ろ側に位置する。
ヘッドキャリッジ２２の吐出走査方向が、図７に示した矢印Ｃ１の方向の場合、気流形成器１７１の空気流入口１７３が進行方向に開口しており、空気流入口１７３から気流形成器１７１に取り込まれた空気が、空気噴出口１７９から噴出する。空気噴出口１７９は、Ｙ軸方向において、紫外線照射部９５の隣に位置しており、空気噴出口１７９から噴出した空気は、図７（ｂ）に示したように、ＵＶ光照射領域１９０に対して矢印Ｃ１の方向の後ろ側に位置する気流吹付け領域１７０に吹き付けられる。
ヘッドキャリッジ２２が吐出走査方向に走査されるのにともなって、被描画媒体１００のヘッドキャリッジ２２に臨む部分は、順次、ヘッド対向領域１２０、ＵＶ光照射領域１９０、気流吹付け領域１７０となる。すなわち、順次、液滴が着弾して機能液が配置され、紫外線が照射されて機能液が硬化され、空気の気流が吹き付けられて、冷却される。
【００５６】
ヘッドキャリッジ２２の吐出走査方向が、図７に示した矢印Ｃ１と反対側の方向の場合には、吐出走査方向の上流側の紫外線照射部９５に紫外線を照射させ、ＵＶ光照射領域２９０に紫外線を照射させる。この場合、気流形成器７１の空気流入口７３が進行方向に開口しており、空気流入口７３から気流形成器７１に取り込まれた空気が、空気噴出口７９から噴出する。空気噴出口７９から噴出した空気は、図７（ｂ）に示したように、ＵＶ光照射領域２９０に対して吐出走査方向の後ろ側に位置する気流吹付け領域２７０に吹き付けられる。
ヘッドキャリッジ２２が吐出走査方向に走査されるのにともなって、被描画媒体１００のヘッドキャリッジ２２に臨む部分は、順次、ヘッド対向領域１２０、ＵＶ光照射領域２９０、気流吹付け領域２７０となる。すなわち、順次、液滴が着弾して機能液が配置され、紫外線が照射されて機能液が硬化され、空気の気流が吹き付けられて、冷却される。
【００５７】
以下、実施形態による効果を記載する。本実施形態によれば、以下の効果が得られる。
（１）ヘッドキャリッジ２２は、気流形成器７１及び気流形成器１７１を備えており、気流形成器７１及び気流形成器１７１は、被描画媒体１００などに気流を吹き付けることができる。被描画媒体１００などに気流を吹き付けることで、気流を吹き付けた部分を冷却することができる。
【００５８】
（２）気流形成器７１及び気流形成器１７１は、吐出走査における進行方向側が開口する空気流入口７３又は空気流入口１７３を備えている。この構成により、気流形成器７１及び気流形成器１７１は、吐出走査の際に、ヘッドキャリッジ２２が走査されることによって、空気流入口７３又は空気流入口１７３から雰囲気の空気を取り入れて、気流を発生させることができる。
【００５９】
（３）空気噴出口７９の開口面積は、空気流入口７３の開口面積の数分の１であり、空気噴出口１７９の開口面積は、空気流入口１７３の開口面積の数分の１である。このため、空気噴出口７９又は空気噴出口１７９から噴出する空気流の流速を、少なくともヘッドキャリッジ２２の移動速度より速くして、気流として空気噴出口７９又は空気噴出口１７９から噴出させることができる。
【００６０】
（４）気流形成器７１及び気流形成器１７１の空気噴出口７９又は空気噴出口１７９は、Ｙ軸方向（吐出走査方向）において、紫外線照射部９５の隣に配設されている。この構成により、被描画媒体１００などにおける、紫外線照射部９５から紫外を照射するのにともなって熱エネルギーが加えられた部分に、時間をおくことなく、気流を吹き付けて冷却することができる。
【００６１】
（５）吐出走査が実施される際は、ヘッドキャリッジ２２の進行方向においてヘッドユニット２１の後ろ側の紫外線照射部９５が稼働させられる。また、ヘッドキャリッジ２２の進行方向において可動させられる紫外線照射部９５の後ろ側に空気噴出口７９又は空気噴出口１７９が開口する気流形成器７１又は気流形成器１７１が気流を噴出する。これにより、ヘッドキャリッジ２２が吐出走査方向に走査されるのにともなって、被描画媒体１００のヘッドキャリッジ２２に臨む部分は、順次、ヘッド対向領域１２０、ＵＶ光照射領域１９０、気流吹付け領域１７０となる。これにより、液滴が着弾して配置された機能液に、時間をおくことなく紫外線を照射して効率よく機能液を硬化させることができる。紫外線が照射されることにともなって熱エネルギーが加えられた部分に、時間をおくことなく、気流を吹き付けて冷却することができる。
【００６２】
（６）紫外線照射部９５は、Ｙ軸方向（吐出走査方向）において、ヘッドユニット２１を挟んで両側に配設されている。このヘッドユニット２１及び紫外線照射部９５は、Ｙ軸方向（吐出走査方向）において、空気噴出部１７７と空気噴出部７７との間に配設されている。これにより、吐出走査における進行方向がＹ軸方向のどちら側であっても、気流形成器７１又は気流形成器１７１から噴出する気流を吹き付けて、被描画媒体１００などを冷却することができる。
【００６３】
以上、添付図面を参照しながら好適な実施形態について説明したが、好適な実施形態は、前記実施形態に限らない。実施形態は、要旨を逸脱しない範囲内において種々変更を加え得ることは勿論であり、以下のように実施することもできる。
【００６４】
（変形例１）前記実施形態においては、ヘッドキャリッジ２２は、ヘッドユニット２１と、気流形成器７１と、気流形成器１７１とを備えていた。しかし、吐出ヘッド又はヘッドユニット２１のような吐出ヘッドの集合に対して、気流発生手段を２個備えることは必須ではない。吐出ヘッドに対して気流発生手段を１個備える構成であってもよい。この場合、吐出ヘッドに対して、硬化光射出手段も１個であり、吐出走査における進行方向は、進行方向側から吐出ヘッド、硬化光射出手段、気流発生手段の気流噴出口となる方向であることが好ましい。
【００６５】
（変形例２）前記実施形態においては、液滴吐出装置１は、ヘッドキャリッジ２２を１個備えていた。しかし、描画装置が備える吐出ヘッドと硬化光射出手段と気流発生手段との組が１組であることは必須ではない。描画装置が備える吐出ヘッドと硬化光射出手段と気流発生手段との組は、何組であってもよい。
【００６６】
（変形例３）前記実施形態においては、ヘッドユニット２１は、液滴吐出ヘッド２０を９個備えていたが、ヘッドユニットが備える吐出ヘッドが９個であることは必須ではない。ヘッドユニットが備える吐出ヘッドは、いくつであってもよい。
【００６７】
（変形例４）前記実施形態においては、液滴吐出ヘッド２０は、多数の吐出ノズル２４が略一直線状に並んだノズル列２４Ａを２列備えていたが、吐出ヘッドが備えるノズル列は何列であってもよい。また、液滴吐出ヘッド２０が備える吐出ノズル２４は、ノズル列２４Ａの延在方向において互いの位置がずれていたが、吐出ヘッドは、ノズル列の延在方向において、略同一位置に位置する吐出ノズルを複数備える構成であってもよい。
【００６８】
（変形例５）前記実施形態においては、ノズル列２４Ａの延在方向における着弾点９１の着弾ピッチは、液滴吐出ヘッド２０における吐出ノズル２４の配設ピッチであった。しかし、ノズル列の延在方向における着弾ピッチが液滴吐出ヘッドにおける吐出ノズルの配設ピッチであることは必須ではない。ノズル列の延在方向における相対移動における移動量の最小値を吐出ノズルの配設ピッチより小さくすることで、ノズル列の延在方向における着弾ピッチを、吐出ノズルの配設ピッチより小さくすることができる。
【００６９】
（変形例６）前記実施形態においては、液滴吐出装置１は、ヘッドユニット２１を備えており、ヘッドユニット２１が備える液滴吐出ヘッド２０が吐出する機能液は単一の機能液であった。しかし、ヘッドユニットが備える吐出ヘッドが吐出する液状体が同一であることは必須ではない。描画装置においては、色が異なるなど、複数種類の異なる液状体を吐出してもよい。色が異なる複数種類の液状体を吐出することでカラー描画も可能である。液状体の種類は、液滴吐出装置が複数のヘッドユニットを備えて、ヘッドユニットごとに異ならせてもよいし、ヘッド組ごとに異ならせてもよいし、液滴吐出ヘッドごとに異ならせてもよいし、ノズル列ごとに異ならせてもよい。吐出ノズルごとに液状体を個別に供給できる液滴吐出ヘッドを用いて、吐出ノズルごとに異なる液状体を吐出してもよい。なお、カラー描画を実施する際には、同じ着弾位置に、複数の、例えば色が異なる液状体を着弾させることができる構成のヘッドユニット又は液滴吐出ヘッドを用いたり、走査方法を用いたりすることで、より微細な描画が可能となる。
【００７０】
（変形例７）前記実施形態においては、液滴吐出ヘッド２０から吐出する機能液は、紫外線硬化型の機能液であった。しかし、吐出ヘッドから吐出する液状体が紫外線硬化型の液状体であることは必須ではない。熱硬化型の液状体などのように、紫外線以外の硬化光を用いて硬化を促進させる液状体であってもよい。
【符号の説明】
【００７１】
１…液滴吐出装置、２…ヘッド機構部、３…媒体機構部、４…機能液供給部、６…吐出装置制御部、２０…液滴吐出ヘッド、２０Ａ…ヘッド組、２１…ヘッドユニット、２２…ヘッドキャリッジ、２２Ａ…キャリッジ枠、２４…吐出ノズル、２４Ａ…ノズル列、３１…媒体載置台、３１ａ…スライド台、３３…媒体移動機構、３５…Ｘ軸ガイド、６２…ヘッド走査機構、６３…支持柱、６４…支持梁、６６…移動枠、７１，１７１…気流形成器、７２，１７２…空気取込部、７２Ａ，１７２Ａ…中空部、７３，１７３…空気流入口、７４，１７４…取込接続口、７６，１７６…流路部、７７，１７７…空気噴出部、７７Ａ，１７７Ａ…中空部、７８，１７８…噴出接続口、７９，１７９…空気噴出口、９５…紫外線照射部、１００…被描画媒体、１２０…ヘッド対向領域、１７０…気流吹付け領域、１９０…ＵＶ光照射領域、２４０Ａ…ユニットノズル列、２７０…気流吹付け領域、２９０…ＵＶ光照射領域。
【図１】
2012170864.tif 000003
【図２】
2012170864.tif 000004
【図３】
2012170864.tif 000005
【図４】
2012170864.tif 000006
【図５】
2012170864.tif 000007
【図６】
2012170864.tif 000008
【図７】
2012170864.tif 000009